(57)【特許請求の範囲】
【請求項１】
かごの積載量を検出する重量検出部の検出信号に基づいて前記かごの積載量をレベルで表示する両極表示部およびレベル表示部を備え、
前記両極表示部は、最小レベル表示部と最大レベル表示部とを含み、前記レベルが最小レベルである場合のみ最小レベル表示部が点灯し、前記レベルが最大レベルである場合のみ最大レベル表示部が点灯し、
前記レベル表示部は、複数の各レベル表示部を含み、前記レベルが前記最小レベルでも前記最大レベルでもない場合のみ何れかの前記各レベル表示部が点灯し、その点灯する個数が前記レベルが大きくなるに連れて増加する
エレベータ装置の表示装置。
【請求項２】
前記最小レベル表示部、前記最大レベル表示部、および、前記各レベル表示部は、前記最小レベル表示部、前記各レベル表示部、および、前記最大レベル表示部の順に整列して配置される
請求項１に記載のエレベータ装置の表示装置。
【請求項３】
前記最小レベル表示部は第１のシンボルとして機能し、
前記最大レベル表示部は第２のシンボルとして機能し、
前記第１のシンボルは、前記第２のシンボルと対照することにより、前記かごの積載量が少ないことを連想させることができるように構成され、
前記第２のシンボルは、前記第１のシンボルと対照することにより、前記かごの積載量が多いことを連想させることができるように構成される
請求項１または２に記載のエレベータ装置の表示装置。
【請求項４】
第１のシンボル部と第２のシンボル部とを備え、
前記第１のシンボル部は、前記第２のシンボル部と対照することにより、前記かごの積載量が少ないことを連想させることができるように構成され、
前記第２のシンボル部は、前記第１のシンボル部と対照することにより、前記かごの積載量が多いことを連想させることができるように構成される
請求項１または２に記載のエレベータ装置の表示装置。
【発明の詳細な説明】
【技術分野】
【０００１】
本発明は、かごの積載量に関する情報を表示するエレベータ装置の表示装置に関する。
【背景技術】
【０００２】
従来のエレベータ装置として、搭乗予定者が待機する階において、かごの積載状態を搭乗予定者に案内する表示装置を備えるものが知られている。例えば特許文献１に記載の表示装置は、乗り場のドア周りに設けられる表示部、および、表示部の点灯状態を制御する制御部を備えている。表示部は、かごの定格積載量に対する現在の積載量の割合である乗車率を１０段階で表示できるように、左端から右端に向かうにつれて段階的に高さが高くなる１０個の棒状のランプを備えている。制御部は、かごに取り付けられている荷重センサにより検出されたかごの積載量に基づいて乗車率を算出し、乗車率が１０％未満の場合には全てのランプを消灯し、乗車率が１０％以上かつ２０％未満の範囲に含まれる場合には最も高さが低いランプを点灯し、以降は乗車率が１０％増加する毎に点灯するランプを１個ずつ増加させる。
【先行技術文献】
【特許文献】
【０００３】
【特許文献１】特開２０１３−１５１３５７号公報
【発明の概要】
【発明が解決しようとする課題】
【０００４】
上記表示装置によれば、乗車率が１０％未満の場合に全てのランプが消灯しているため、ランプが乗車率に関する情報を出力していることが搭乗予定者に認識されず、乗車率が低いという情報が搭乗予定者に適切に伝達されないおそれがある。なお、このような課題は、表示部が乗り場のドア周りに設けられる場合に限らず、表示部がかご内に設けられる場合にも同様に生じる。
【０００５】
本発明の目的は、積載量に関する情報を適切に伝達できるエレベータ装置の表示装置を提供することである。
【課題を解決するための手段】
【０００６】
本発明に従うエレベータ装置の表示装置の一形態は、かごの積載量を検出する重量検出部の検出信号に基づいて前記かごの積載量をレベルで表示する両極表示部およびレベル表示部を備え、前記両極表示部は、前記かごの積載量のレベルが最小レベルである場合に、前記かごの積載量が少ないことを示唆する第１の表示を出力し、前記かごの積載量のレベルが最大レベルである場合に、前記かごの積載量が多いことを示唆する第２の表示を出力し、前記レベル表示部は、前記両極表示部が前記第１の表示または前記第２の表示を出力していない場合に出力する。
【０００７】
上記表示装置によれば、かごの積載量のレベルが最小レベルの場合にも表示が出力される。このため、かごの積載量のレベルが最小レベルである場合にランプが点灯しない従来の表示装置とは異なり、表示装置が積載量に関する情報を表示中であることが搭乗予定者に認識されやすい。
【発明の効果】
【０００８】
上記エレベータ装置の表示装置は、積載量に関する情報を適切に伝達できる。
【図面の簡単な説明】
【０００９】
【図１】乗り場における実施形態のエレベータ装置の正面図。
【図２】図１のエレベータ装置の表示装置の電気的構成に関するブロック図。
【図３】図１の操作盤および表示部の正面図。
【図４】最小レベル表示部が点灯した乗車率表示部の正面図。
【図５】第１のレベル表示部が点灯した乗車率表示部の正面図。
【図６】最大レベル表示部が点灯した乗車率表示部の正面図。
【図７】第２の実施形態の乗車率表示部の正面図。
【図８】第３の実施形態の乗車率表示部の正面図。
【図９】第４の実施形態の乗車率表示部の正面図。
【図１０】第５の実施形態の乗車率表示部の正面図。
【図１１】第６の実施形態の乗車率表示部の正面図。
【図１２】第７の実施形態の乗車率表示部の正面図。
【図１３】第８の実施形態の乗車率表示部の正面図。
【発明を実施するための形態】
【００１０】
（第１の実施形態）
図１に示されるように、エレベータ装置１００が設置された建築物２００の各フロアには、エレベータ装置１００のかご１１０への乗車を予定している人（以下では「搭乗予定者」）が待機するための乗り場２１０が設けられている。かご１１０が移動する昇降路（図示略）と乗り場２１０とを区画する建築物２００の壁２４０には、昇降路と乗り場２１０とを繋げる開口２２０が設けられている。開口２２０には、開口２２０を開閉する乗降戸２３０が設けられている。壁２４０における開口２２０の側方の部分には、搭乗予定者により操作される操作盤３００が設けられている。以上のように、エレベータ装置１００は、かご１１０、乗降戸２３０、および、操作盤３００を備えている。
【００１１】
エレベータ装置１００は、エレベータ装置１００に関する様々な情報（以下では「エレベータ情報」）を表示するエレベータ装置の表示装置１（以下では「表示装置１」）、エレベータ装置１００のかご１１０の積載量を検出する重量検出部４００、および、エレベータ装置１００の綱車（図示略）の回転量を検出する回転検出部５００をさらに備えている。
【００１２】
表示装置１は、エレベータ情報を表示する表示部２、および、エレベータ情報に応じて表示部２の点灯状態を制御する制御装置３を備えている。図２に示されるように、重量検出部４００および回転検出部５００は、制御装置３に検出信号を送信できるように制御装置３と電気的に接続されている。
【００１３】
制御装置３は、エレベータ情報の一例として、かご１１０の定格積載量に対する現在の積載量の割合である乗車率、および、昇降路におけるかご１１０の位置であるかご位置を算出する。乗車率は重量検出部４００の検出信号に基づいて算出される。かご位置は回転検出部５００の検出信号に基づいて算出される。
【００１４】
図３は、表示部２および操作盤３００の正面図である。表示部２および操作盤３００は上下に並べて壁２４０に設けられている。表示部２は、搭乗予定者が視認しやすいように操作盤３００よりも上方に設けられている。
【００１５】
操作盤３００は、壁２４０に取り付けられているブラケット（図示略）に固定されたフェースプレート３３０、ならびに、フェースプレート３３０に形成された孔から突き出た上方呼び登録ボタン３１０および下方呼び登録ボタン３２０を備えている。上方呼び登録ボタン３１０は、上のフロアに移動する場合にかご１１０を呼ぶボタンである。下方呼び登録ボタン３２０は、下のフロアに移動する場合にかご１１０を呼ぶボタンである。
【００１６】
表示部２は、壁２４０に取り付けられているブラケット（図示略）に固定された樹脂板１０、かご位置に関する情報、および、かご１１０の進行方向に関する情報を表示するかご情報表示部２０、ならびに、かご１１０の乗車率に関する情報を表示する乗車率表示部３０を備えている。
【００１７】
樹脂板１０を構成する材料は半透明の樹脂材料である。樹脂板１０の表面は着色されている。表面の色の一例はブルースモークである。樹脂板１０には、第１の窓１１および第２の窓１２が形成されている。第１の窓１１の形状は縦長の長方形である。第２の窓１２は第１の窓１１の下方に形成されている。第２の窓１２の形状は横長の長方形である。
【００１８】
かご情報表示部２０は、第１の窓１１に配置されたＬＥＤドットマトリクス２１を含む。ＬＥＤドットマトリクス２１は、かご１１０の進行方向を示す矢印、および、かご１１０が着床している階、または、走行しているかご１１０の最も近い階を示す数字を表示する。
【００１９】
乗車率表示部３０は、第２の窓１２に配置された光拡散シート４０、ならびに、光拡散シート４０の背面側に配置された複数のＬＥＤランプ５０（図２参照）を備えている。
図２に示されるように複数のＬＥＤランプ５０は、最小レベルランプ５１、最大レベルランプ５２、第１のレベルランプ６１、第２のレベルランプ６２、第３のレベルランプ６３、および、第４のレベルランプ６４を含む。ＬＥＤドットマトリクス２１および複数のＬＥＤランプ５０は、制御装置３と電気的に接続されている。
【００２０】
最小レベルランプ５１は第１の色を有する光を出力する。第１のレベルランプ６１〜第４のレベルランプ６４は第２の色を有する光を出力する。最大レベルランプ５２は第３の色を有する光を出力する。一例では、第１の色は緑色であり、第２の色は黄色であり、第３の色は赤色である。
【００２１】
光拡散シート４０は乳白色の樹脂シートである。図３に示されるように、光拡散シート４０の表面には、複数のＬＥＤランプ５０（図２参照）の少なくとも１つから出力された光を吸収する遮光層４０Ａが設けられている。遮光層４０Ａは、黒色塗料の層であり、光拡散シート４０のうちの各表示部７０、８０を除いた部分の全部に設けられている。各表示部７０、８０は、複数のＬＥＤランプ５０のうちの対応するＬＥＤランプの光を乗り場２１０側に透過させる。
【００２２】
両極表示部８０は、最小レベル表示部８１および最大レベル表示部８２を含む。レベル表示部７０は、第１のレベル表示部７１〜第４のレベル表示部７４を含む。両極表示部８０およびレベル表示部７０は、重量検出部４００の検出信号に基づいて制御装置３が算出したかご１１０の乗車率に関するレベルを表示する。
【００２３】
最小レベル表示部８１は、かご１１０の乗車率のレベルが最小レベルである場合に、かご１１０の積載量が少ないことを示唆する第１の表示を出力する。最大レベル表示部８２は、かご１１０の乗車率のレベルが最大レベルである場合に、かご１１０の積載量が多いことを示唆する第２の表示を出力する。第１のレベル表示部７１〜第４のレベル表示部７４は、かご１１０の乗車率のレベルにおいて、最小レベルおよび最大レベルを除く各レベルを表示する。第１のレベル表示部７１〜第４のレベル表示部７４は、第１の表示および第２の表示が出力されていないときに出力し、かご１１０の乗車レベルが大きくなるにつれて点灯面積が増加する。
【００２４】
各レベル表示部７１〜７４、最小レベル表示部８１、および、最大レベル表示部８２は、左右方向において最小レベル表示部８１、第１のレベル表示部７１、第２のレベル表示部７２、第３のレベル表示部７３、第４のレベル表示部７４、および、最大レベル表示部８２の順に整列している。
【００２５】
各レベル表示部７１〜７４は縦長の長方形である。各レベル表示部７１〜７４、最小レベル表示部８１、および、最大レベル表示部８２は、対応する各レベルランプ６１〜６４、最小レベルランプ５１、および、最大レベルランプ５２の光を乗り場２１０側に透過させることができるように各レベルランプ６１〜６４、最小レベルランプ５１、および、最大レベルランプ５２に対して乗り場２１０側に設けられている。
【００２６】
各レベル表示部７１〜７４、最小レベル表示部８１、および、最大レベル表示部８２の点灯状態は、対応する各レベルランプ６１〜６４、最小レベルランプ５１、および、最大レベルランプ５２の点灯状態に応じて点灯した状態または消灯した状態を取る。
【００２７】
各レベル表示部７１〜７４、最小レベル表示部８１、および、最大レベル表示部８２が点灯した状態とは、各レベル表示部７１〜７４、最小レベル表示部８１、および、最大レベル表示部８２のそれぞれに対応する各レベルランプ６１〜６４、最小レベルランプ５１、および、最大レベルランプ５２が点灯し、各レベル表示部７１〜７４、最小レベル表示部８１、および、最大レベル表示部８２がその光を透過している状態である。
【００２８】
各レベル表示部７１〜７４、最小レベル表示部８１、および、最大レベル表示部８２が消灯している状態とは、各レベル表示部７１〜７４、最小レベル表示部８１、および、最大レベル表示部８２のそれぞれに対応する各レベルランプ６１〜６４、最小レベルランプ５１、および、最大レベルランプ５２が消灯し、各レベル表示部７１〜７４、最小レベル表示部８１、および、最大レベル表示部８２が各レベルランプ６１〜６４、最小レベルランプ５１、および、最大レベルランプ５２の光を透過していない状態である。
【００２９】
最小レベル表示部８１は、人が搭乗していないかごを連想させる第１の部分８１Ａ、および、第１の部分８１Ａに示されるかごが上下方向に移動することを連想させる第２の部分８１Ｂを含む。最小レベル表示部８１は、第１の部分８１Ａおよび第２の部分８１Ｂを含むことにより、かご１１０の積載量が少ないことを搭乗予定者に連想させることができるシンボルとして機能する。
【００３０】
最大レベル表示部８２は、複数の人がかごに搭乗していることを連想させる第１の部分８２Ａ、および、第１の部分８２Ａに示されるかごが上下方向に移動することを連想させる第２の部分８２Ｂを含む。最大レベル表示部８２は、第１の部分８２Ａおよび第２の部分８２Ｂを含むことにより、かご１１０の積載量が多いことを搭乗予定者に連想させることができるシンボルとして機能する。なお、本実施形態では、乗車率表示部３０を光拡散シート４０、および、複数のＬＥＤランプ５０として構成したが、光拡散シート４０および複数のＬＥＤランプ５０に代えて、乗車率表示部３０を液晶ディスプレイにより構成することもできる。
【００３１】
図４〜図６を参照して、表示装置１の動作について説明する。なお、図４〜図６において、レベル表示部７０および両極表示部８０のうちの白抜きで表現された表示部は点灯した状態を示し、ドットが付された表示部は消灯した状態を示している。
【００３２】
制御装置３は、エレベータ装置１００の電源が投入されているとき、重量検出部４００の検出信号に基づいてかご１１０の乗車率を算出し、算出した乗車率に基づいて複数のＬＥＤランプ５０の点灯状態を制御する。
【００３３】
かご１１０の乗車率が０％以上かつ１０％未満の範囲に含まれる場合、制御装置３により複数のＬＥＤランプ５０のうちの最小レベルランプ５１だけが点灯され、図４に示されるように最小レベル表示部８１だけが点灯する。すなわち、最小レベル表示部８１は、第１の表示を出力する。
【００３４】
かご１１０の乗車率が１０％以上かつ３０％未満の範囲に含まれる場合、制御装置３により複数のＬＥＤランプ５０のうちの第１のレベルランプ６１が点灯され、図５に示されるように第１のレベル表示部７１だけが点灯する。
【００３５】
かご１１０の乗車率が３０％以上かつ５０％未満の範囲に含まれる場合、制御装置３により複数のＬＥＤランプ５０のうちの各レベルランプ６１、６２が点灯され、各レベル表示部７１、７２が点灯する。
【００３６】
かご１１０の乗車率が５０％以上かつ７０％未満の範囲に含まれる場合、制御装置３により複数のＬＥＤランプ５０のうちの各レベルランプ６１〜６３が点灯され、各レベル表示部７１〜７３が点灯する。
【００３７】
かご１１０の乗車率が７０％以上かつ９０％未満の範囲に含まれる場合、制御装置３により複数のＬＥＤランプ５０のうちの各レベルランプ６１〜６４が点灯され、各レベル表示部７１〜７４が点灯する。
【００３８】
かご１１０の乗車率が９０％以上の場合、制御装置３により複数のＬＥＤランプ５０のうちの最大レベルランプ５２だけが点灯され、図６に示されるように最大レベル表示部８２だけが点灯する。すなわち、最大レベル表示部８２は、第２の表示を出力する。
【００３９】
表示装置１により得られる作用および効果について説明する。
（１）表示装置１によれば、かご１１０の乗車率のレベルが最小レベルの場合にも表示が出力される。このため、かご１１０の乗車率のレベルが最小レベルである場合にランプが点灯しない従来の表示装置とは異なり、表示装置１が乗車率に関する情報を表示中であることがエレベータ装置１００の利用者に認識されやすい。
【００４０】
（２）両極表示部８０の最小レベル表示部８１および最大レベル表示部８２は、かご１１０の積載量に関して異なる積載量を連想させる２つのシンボルになっている。このため、このような対照的な２つのシンボルが、逆に最小レベル表示部８１と最大レベル表示部８２との共通点、すなわち、かご１１０の積載量に関する点を浮かび上がらせることとなる。このため、エレベータ装置１００の利用者は、両極表示部８０およびレベル表示部７０が何を表示する部分であるかを直感的に認識できる。このように、表示装置１は、エレベータ装置１００の利用者にかご１１０の乗車率を正確かつ容易に認識させることができる。
【００４１】
（３）左右方向に整列して配置されているレベル表示部７０および両極表示部８０のうちの最小レベル表示部８１が一方の端に配置され、最大レベル表示部８２が他方の端に配置されている。このため、最小レベル表示部８１が点灯している状態のときに乗車率が最小レベルであることをエレベータ装置１００の利用者に連想させやすい。また、最大レベル表示部８２が点灯している状態のときに乗車率が最大レベルであることをエレベータ装置１００の利用者に連想させやすい。
【００４２】
（４）レベル表示部７０および両極表示部８０のうちの両端に配置されている両極表示部８０のみがシンボルであるため、最小レベル表示部８１が点灯している状態のときに乗車率が最小レベルであることをエレベータ装置１００の利用者に連想させやすい。また、最大レベル表示部８２が点灯している状態のときに乗車率が最大レベルであることをエレベータ装置１００の利用者に連想させやすい。なお、上記（１）〜（４）に記載の作用および効果は、表示装置１がかご１１０内に設けられる場合であっても同様に生じる。
【００４３】
（第２の実施形態）
第２の実施形態の表示装置１は、第１の実施形態のレベル表示部７０（図３参照）に代えて、図７に示されるレベル表示部２７０を備えている。なお、以下の説明では第１の実施形態および第２の実施形態に共通する事項に関する説明を省略している。また、図７において、レベル表示部２７０および両極表示部８０のうちの白抜きで表現された表示部は点灯した状態を示し、ドットが付された表示部は消灯した状態を示している。
【００４４】
レベル表示部２７０は、かご１１０の乗車率に関するレベルを表示する第１のレベル表示部２７１〜第４のレベル表示部２７４を含む。
各レベル表示部２７１〜２７４、最小レベル表示部８１、および、最大レベル表示部８２は、左右方向において最小レベル表示部８１、第１のレベル表示部２７１、第２のレベル表示部２７２、第３のレベル表示部２７３、第４のレベル表示部２７４、および、最大レベル表示部８２の順に整列している。第１のレベル表示部２７１〜第４のレベル表示部２７４は、かご１１０の乗車率のレベルにおいて、最小レベルおよび最大レベルを除く各レベルを表示する。第１のレベル表示部２７１〜第４のレベル表示部２７４は、第１の表示および第２の表示が出力されていないときに、かご１１０の乗車レベルが大きくなるにつれて点灯面積が増加する。
【００４５】
第１のレベル表示部２７１は、レベル表示部２７０が表示する乗車率のレベルのうちの最小レベルを示す部分である。第１のレベル表示部２７１は、人が搭乗していないかごを連想させる第１の部分２７１Ａ、および、第１の部分２７１Ａに示されるかごが上下方向に移動することを連想させる第２の部分２７１Ｂを含む。
【００４６】
各レベル表示部２７２〜２７４の形状は円である。第２のレベル表示部２７２〜第４のレベル表示部２７４の順に円の直径が大きい。
本実施形態の表示装置１の動作について説明する。
【００４７】
かご１１０の乗車率が０％以上かつ１０％未満の範囲に含まれる場合、制御装置３により複数のＬＥＤランプ５０のうちの最小レベルランプ５１だけが点灯され、最小レベル表示部８１だけが点灯する。
【００４８】
かご１１０の乗車率が１０％以上かつ３０％未満の範囲に含まれる場合、制御装置３により複数のＬＥＤランプ５０のうちの第１のレベルランプ６１だけが点灯され、第１のレベル表示部２７１だけが点灯する。
【００４９】
かご１１０の乗車率が３０％以上かつ５０％未満の範囲に含まれる場合、制御装置３により複数のＬＥＤランプ５０のうちの各レベルランプ６１、６２が点灯され、各レベル表示部２７１、２７２が点灯する。
【００５０】
かご１１０の乗車率が５０％以上かつ７０％未満の範囲に含まれる場合、制御装置３により複数のＬＥＤランプ５０のうちの各レベルランプ６１〜６３が点灯され、各レベル表示部２７１〜２７３が点灯する。
【００５１】
かご１１０の乗車率が７０％以上かつ９０％未満の範囲に含まれる場合、制御装置３により複数のＬＥＤランプ５０のうちの各レベルランプ６１〜６４が点灯され、図７に示されるように、各レベル表示部２７１〜２７４が点灯する。
【００５２】
かご１１０の乗車率が９０％以上の場合、制御装置３により複数のＬＥＤランプ５０のうちの最大レベルランプ５２だけが点灯され、最大レベル表示部８２だけが点灯する。
本実施形態の表示装置１によれば、上記（１）〜（３）に準じた作用および効果が得られる。
【００５３】
（第３の実施形態）
第３の実施形態の表示装置１は、第１の実施形態のレベル表示部７０および両極表示部８０（図３参照）に代えて、図８に示されるレベル表示部３７０および両極表示部３８０を備えている。なお、以下の説明では、第１の実施形態および第３の実施形態に共通する事項に関する説明を省略している。また、図８において、レベル表示部３７０および両極表示部３８０のうちの白抜きで表現された表示部は点灯した状態を示し、ドットが付された表示部は消灯した状態を示している。
【００５４】
レベル表示部３７０は、かご１１０の乗車率に関するレベルを表示する第１のレベル表示部３７１〜第４のレベル表示部３７４を含む。両極表示部３８０は、かご１１０の乗車率に関するレベルを表示する。両極表示部３８０は、かご１１０の積載量が少ないことを搭乗予定者に連想させることができるシンボルとして機能する最小レベル表示部３８１、および、かご１１０の積載量が多いことを搭乗予定者に連想させることができるシンボルとして機能する最大レベル表示部３８２を含む。各レベル表示部３７１〜３７４、最小レベル表示部３８１、および、最大レベル表示部３８２は、左右方向において最小レベル表示部３８１、第１のレベル表示部３７１、第２のレベル表示部３７２、第３のレベル表示部３７３、第４のレベル表示部３７４、および、最大レベル表示部３８２の順に整列している。
【００５５】
各レベル表示部３７１〜３７４の形状は円である。第１のレベル表示部３７１〜第４のレベル表示部３７４の順に円の直径が大きい。
最小レベル表示部３８１は、かごに搭乗しようとしている人を連想させる第１の部分３８１Ａ、および、無人のかごを連想させる第２の部分３８１Ｂを含む。最大レベル表示部３８２は、かごに搭乗している人を連想させる第１の部分３８２Ａ、および、かごを連想させる第２の部分３８２Ｂを含む。なお、本実施形態の表示装置１の動作は、第１の実施形態と同様であるため、その説明を省略する。本実施形態の表示装置１によれば、上記（１）〜（４）に準じた作用および効果が得られる。
【００５６】
（第４の実施形態）
第４の実施形態の表示装置１は、第３の実施形態の両極表示部３８０（図８参照）に代えて、図９に示される両極表示４８０を備えている。なお、以下の説明では、第３の実施形態および第４の実施形態に共通する事項に関する説明を省略している。また、図９において、レベル表示部３７０および両極表示部４８０のうちの白抜きで表現された表示部は点灯した状態を示し、ドットが付された表示部は消灯した状態を示している。
【００５７】
両極表示部４８０は、かご１１０の積載量が少ないことによりかご１１０に乗り込むことが容易であることを連想させることができるシンボルとして機能する最小レベル表示部４８１、および、かご１１０の積載量が多いことによりかご１１０に乗り込むことが困難であることを連想させることができるシンボルとして機能する最大レベル表示部４８２を含む。
【００５８】
最小レベル表示部４８１は、開口しているかごを連想させる第１の部分４８１Ａ、および、第１の部分４８１Ａの開口部分の側方に設けられ、右向きの矢印を示す第３の部分４８１Ｂを含む。
【００５９】
最大レベル表示部４８２は、閉鎖しているかごを連想させる第１の部分４８２Ａを含む。なお、本実施形態の表示装置１の動作は、第３の実施形態と同様であるため、その説明を省略する。本実施形態の表示装置１によれば、上記（１）〜（４）に準じた作用および効果が得られる。
【００６０】
（第５の実施形態）
第５の実施形態の表示装置１は、第１の実施形態の両極表示部８０（図３参照）に代えて、図１０に示される両極表示部５８０を備えている。なお、以下の説明では、第１の実施形態および第５の実施形態に共通する事項に関する説明を省略している。また、図１０において、レベル表示部７０および両極表示部５８０のうちの白抜きで表現された表示部は点灯した状態を示し、ドットが付された表示部は消灯した状態を示している。
【００６１】
両極表示部５８０は、レベル表示部７０を囲う形状であり、かご１１０の積載量が多いことを搭乗予定者に連想させることができるシンボルとしての形状を有さない。両極表示部５８０の背面には、第１の色を有する光、および、第２の色を有する光を出力する２色ＬＥＤランプ（図示略）が配置されている。一例では、第１の色は緑色であり、第２の色は赤色である。
【００６２】
本実施形態の表示装置１の動作について説明する。
制御装置３は、重量検出部４００の検出信号に基づいてかご１１０の乗車率を算出し、算出した乗車率に基づいて両極表示部５８０、および、各レベル表示部７１〜７４に対応するＬＥＤランプの点灯状態を制御する。
【００６３】
かご１１０の乗車率が０％以上かつ１０％未満の範囲に含まれる場合、制御装置３により両極表示部５８０に対応する２色ＬＥＤランプが点灯される。２色ＬＥＤランプは、第１の表示として第１の色を発光する。
【００６４】
かご１１０の乗車率が１０％以上かつ３０％未満の範囲に含まれる場合、制御装置３により複数のＬＥＤランプのうちの第１のレベル表示部７１に対応するＬＥＤランプが点灯される。
【００６５】
かご１１０の乗車率が３０％以上かつ５０％未満の範囲に含まれる場合、制御装置３により複数のＬＥＤランプのうちの各レベル表示部７１、７２に対応するＬＥＤランプが点灯される。
【００６６】
かご１１０の乗車率が５０％以上かつ７０％未満の範囲に含まれる場合、制御装置３により複数のＬＥＤランプのうちの各レベル表示部７１〜７３に対応するＬＥＤランプが点灯される。
【００６７】
かご１１０の乗車率が７０％以上かつ９０％未満の範囲に含まれる場合、図１０に示されるように、制御装置３により複数のＬＥＤランプのうちの各レベル表示部７１〜７４に対応するＬＥＤランプが点灯される。
【００６８】
かご１１０の乗車率が９０％以上の場合、制御装置３により複数のＬＥＤランプのうちの両極表示部５８０に対応する２色ＬＥＤランプが点灯される。２色ＬＥＤランプは、第２の表示として第２の色を発光する。本実施形態の表示装置１によれば、上記（１）に準じた作用および効果が得られる。
【００６９】
（第６の実施形態）
第６の実施形態の表示装置１は、第１の実施形態の両極表示部８０（図３参照）に代えて、図１１に示されるようなシンボルとしては機能しない両極表示部６８０を備え、さらに、両極表示部６８０とは別に、シンボル部６００を備えている。なお、以下の説明では、第１の実施形態および第６の実施形態に共通する事項に関する説明を省略している。また、図１１において、レベル表示部７０、両極表示部６８０、および、シンボル部６００のうちの白抜きで表現された部分は点灯した状態を示し、ドットが付された部分は消灯した状態を示している。
【００７０】
両極表示部６８０は、最小レベル表示部６８１、および、最大レベル表示部６８２を含む。最小レベル表示部６８１、および、最大レベル表示部６８２は縦長の長方形である。最小レベル表示部６８１は、第１の表示を出力する。最大レベル表示部６８２は、第２の表示を出力する。
【００７１】
各レベル表示部７１〜７４、最小レベル表示部６８１、および、最大レベル表示部６８２は、左右方向において最小レベル表示部６８１、第１のレベル表示部７１、第２のレベル表示部７２、第３のレベル表示部７３、第４のレベル表示部７４、および、最大レベル表示部６８２の順に整列している。レベル表示部７０、両極表示部６８０、および、シンボル部６００の背面には、レベル表示部７０、両極表示部６８０、および、シンボル部６００を点灯させる複数のＬＥＤランプ（図示略）が設けられている。最小レベル表示部６８１に対応するＬＥＤランプは、第１の色を有する光を出力する。各レベル表示部７１〜７４に対応するＬＥＤランプは、第２の色を有する光を出力する。最大レベル表示部６８２に対応するＬＥＤランプは、第３の色を有する光を出力する。各シンボル６１０、６２０に対応するＬＥＤランプは、第２の色を有する光を出力する。一例では、第１の色は緑色であり、第２の色は黄色であり、第３の色は赤色である。
【００７２】
シンボル部６００は、第１のシンボル６１０および第２のシンボル６２０を含む。第１のシンボル６１０は、かご１１０の積載量が少ないことを搭乗予定者に連想させることができるシンボルとして機能する。第１のシンボル６１０は、最小レベル表示部６８１の左に配置されている。第１のシンボル６１０は、かごを連想させる第１の部分６１０Ａ、および、第１の部分６１０Ａに示されるかごにわずか１人しか乗車していないことを連想させる第２の部分６１０Ｂを含む。
【００７３】
第２のシンボル６２０は、かご１１０の積載量が多いことを搭乗予定者に連想させることができるシンボルとして機能する。第１のシンボル６１０は、最大レベル表示部６８２の右に配置されている。第２のシンボル６２０は、かごを連想させる第１の部分６２０Ａ、および、第１の部分６２０Ａに示されるかごに３人も搭乗してかご一杯であることを連想させる第２の部分６２０Ｂを含む。
【００７４】
本実施形態の表示装置１の動作について説明する。
制御装置３は、エレベータ装置１００の電源が投入されているとき、第１のシンボル６１０および第２のシンボル６２０に対応するＬＥＤランプを常に点灯させている。制御装置３は、重量検出部４００の検出信号に基づいてかご１１０の乗車率を算出し、算出した乗車率に基づいて最小レベル表示部６８１、最大レベル表示部６８２、および、各レベル表示部７１〜７４に対応するＬＥＤランプの点灯状態を制御する。
【００７５】
かご１１０の乗車率が０％以上かつ１０％未満の範囲に含まれる場合、制御装置３により複数のＬＥＤランプのうちの最小レベル表示部６８１に対応するＬＥＤランプが点灯される。
【００７６】
かご１１０の乗車率が１０％以上かつ３０％未満の範囲に含まれる場合、制御装置３により複数のＬＥＤランプのうちの第１のレベル表示部７１に対応するＬＥＤランプが点灯される。
【００７７】
かご１１０の乗車率が３０％以上かつ５０％未満の範囲に含まれる場合、制御装置３により複数のＬＥＤランプのうちの各レベル表示部７１、７２に対応するＬＥＤランプが点灯される。
【００７８】
かご１１０の乗車率が５０％以上かつ７０％未満の範囲に含まれる場合、制御装置３により複数のＬＥＤランプのうちの各レベル表示部７１〜７３に対応するＬＥＤランプが点灯される。
【００７９】
かご１１０の乗車率が７０％以上かつ９０％未満の範囲に含まれる場合、図１１に示されるように、制御装置３により複数のＬＥＤランプのうちの各レベル表示部７１〜７４に対応するＬＥＤランプが点灯される。
【００８０】
かご１１０の乗車率が９０％以上の場合、制御装置３により複数のＬＥＤランプのうちの最大レベル表示部６８２に対応するＬＥＤランプが点灯される。
本実施形態の表示装置１によれば、上記（１）に準じた作用および効果に加えて、以下の作用および効果が得られる。
【００８１】
（５）点灯した状態および消灯した状態をとる最小レベル表示部６８１、最大レベル表示部６８２、および、各レベル表示部７１〜７４のうちの、一方の端に配置されている最小レベル表示部６８１の隣に第１のシンボル６１０が配置されている。このため、最小レベル表示部６８１が点灯している状態のときに乗車率が最小レベルであることをエレベータ装置１００の利用者に連想させやすい。また、最大レベル表示部６８２の隣に第２のシンボル６２０が配置されているため、最大レベル表示部６８２が点灯している状態のときに乗車率が最大レベルであることをエレベータ装置１００の利用者に連想させやすい。
【００８２】
（６）最小レベル表示部６８１は、各レベル表示部７１〜７２と異なる色で点灯するため、最小レベル表示部６８１が点灯している状態のときに乗車率が最小レベルであることをエレベータ装置１００の利用者に連想させやすい。
【００８３】
（７）最大レベル表示部６８２は、各レベル表示部７１〜７２と異なる色で点灯するため、最大レベル表示部６８２が点灯している状態のときに乗車率が最大レベルであることをエレベータ装置１００の利用者に連想させやすい。なお、上記（５）〜（７）に記載の作用および効果は表示装置１がかご１１０内に設けられる場合であっても同様に生じる。
【００８４】
（第７の実施形態）
第７の実施形態の表示装置１は、第６の実施形態のレベル表示部７０および両極表示部６８０（図１１参照）に代えて、図１２に示されるレベル表示部７７０および両極表示部７８０を備えている。なお、以下の説明では、第６の実施形態および第７の実施形態に共通する事項に関する説明を省略している。また、図１２において、レベル表示部７７０、両極表示部７８０、および、シンボル部６００のうちの白抜きで表現された部分は点灯した状態を示し、ドットが付された部分は消灯した状態を示している。
【００８５】
レベル表示部７７０は、かご１１０の乗車率に関するレベルを表示する各レベル表示部７７１〜７７４を含む。両極表示部７８０は、最小レベル表示部７８１、および、最大レベル表示部７８２を含む。
【００８６】
各レベル表示部７７１〜７７４、最小レベル表示部７８１、および、最大レベル表示部７８２は、左右方向において最小レベル表示部７８１、第１のレベル表示部７７１、第２のレベル表示部７７２、第３のレベル表示部７７３、第４のレベル表示部７７４、および、最大レベル表示部７８２の順に整列している。レベル表示部７７０、および、両極表示部７８０の形状は、長方形である。最小レベル表示部７８１、第１のレベル表示部７７１〜第４のレベル表示部７７４、および、最大レベル表示部７８２の順に長方形の高さの寸法が大きい。
【００８７】
レベル表示部７７０および両極表示部７８０の背面には、最小レベル表示部７８１、最大レベル表示部７８２、および、各レベル表示部７７１〜７７４を点灯させる複数のＬＥＤランプ（図示略）が設けられている。最小レベル表示部７８１に対応するＬＥＤランプは、第１の色を有する光を出力する。各レベル表示部７７１〜７７４に対応するＬＥＤランプは、第２の色を有する光を出力する。最大レベル表示部７８２に対応するＬＥＤランプは、第３の色を有する光を出力する。一例では、第１の色は緑色であり、第２の色は黄色であり、第３の色は赤色である。なお、本実施形態の表示装置１の動作は、第６の実施形態と同様であるため、その説明を省略する。本実施形態の表示装置１によれば、上記（１）、および、（５）〜（７）に準じた作用および効果が得られる。
【００８８】
（第８の実施形態）
第８の実施形態の表示装置１は、第６の実施形態のレベル表示部７０（図１１参照）に代えて、図１３に示されるレベル表示部８７０を備えている。なお、以下の説明では、第６の実施形態および第８の実施形態に共通する事項に関する説明を省略している。また、図１３において、レベル表示部８７０、両極表示部６８０、および、シンボル部６００のうちの白抜きで表現された部分は点灯した状態を示し、ドットが付された部分は消灯した状態を示している。
【００８９】
レベル表示部８７０の各レベル表示部８７１〜８７４の形状は円である。第１のレベル表示部８７１〜第４のレベル表示部８７４の順に円の直径が大きい。レベル表示部８７０の背面には、各レベル表示部８７１〜８７４を点灯させる複数のＬＥＤランプ（図示略）が設けられている。各レベル表示部８７１〜８７４に対応するＬＥＤランプは、黄色の光を出力する。なお、本実施形態の表示装置１の動作は、第６の実施形態と同様であるため、その説明を省略する。本実施形態の表示装置１によれば、上記（１）、および、（５）〜（７）に準じた作用および効果が得られる。
【００９０】
なお、上記各実施形態に関する説明は、本発明に従うエレベータ装置の表示装置が取り得る形態の例示であり、その形態を制限することを意図していない。本発明に従うエレベータ装置の表示装置は各実施形態とは異なる種々の形態を取り得る。例えば、表示装置１をかご１１０内に設置して、かご２０内の乗客に乗車率を認識させてもよい。
【符号の説明】
【００９１】
７０、２７０、３７０、７７０、８７０、８７０：レベル表示部
２７１                                      ：第１のレベル表示部（第１の表示部）
８０、３８０、４８０、５８０、６８０、７８０：両極表示部
８１、３８１、４８１、６８１、７８１        ：最小レベル表示部
８２、３８２、４８２、６８２、７８２        ：最大レベル表示部
【図１】
0006693237.tif 000002
【図２】
0006693237.tif 000003
【図３】
0006693237.tif 000004
【図４】
0006693237.tif 000005
【図５】
0006693237.tif 000006
【図６】
0006693237.tif 000007
【図７】
0006693237.tif 000008
【図８】
0006693237.tif 000009
【図９】
0006693237.tif 000010
【図１０】
0006693237.tif 000011
【図１１】
0006693237.tif 000012
【図１２】
0006693237.tif 000013
【図１３】
0006693237.tif 000014